(57)【特許請求の範囲】
【請求項１】
広帯域無線接続システムにおいて端末のコンテンツ保存登録解除（ＤＣＲ）モード動作方法であって、
登録要請（ＡＡＩ＿ＲＥＧ−ＲＥＱ）メッセージを基地局に伝送し、
登録応答（ＡＡＩ＿ＲＥＧ−ＲＳＰ）メッセージを前記基地局から受信すること、
を含み、
前記登録応答メッセージは、前記基地局を含むネットワークで前記端末の接続情報（ＡＭＳ  ｃｏｎｔｅｘｔ）と関連して前記端末を識別するための識別子を含む、コンテンツ保存登録解除モード動作方法。
【請求項２】
前記識別子は、
コンテクスト保存識別子（ＣＲＩＤ）であることを特徴とする、請求項１に記載のコンテンツ保存登録解除モード動作方法。
【請求項３】
前記登録応答メッセージは、
前記端末が前記基地局にネットワーク進入（ｎｅｔｗｏｒｋ  ｅｎｔｒｙ）を行ったり、前記基地局のレガシー端末を支援する領域から前記レガシー端末よりも進歩した端末を支援する領域へと領域変更（ｚｏｎｅ  ｓｗｉｔｃｈ）を行う時に受信されることを特徴とする、請求項２に記載のコンテンツ保存登録解除モード動作方法。
【請求項４】
前記ＤＣＲモードへの進入要請を示す第１のコードを含む第１のメッセージを、前記基地局に伝送し、
前記進入要請を受諾するか否かを示す第２のコードを含む第２のメッセージを、前記基地局から受信し、
前記第２のコードが前記進入要請の受諾を示す値に設定された場合、既に設定されたタイマーが有効な時間の間に、前記ＤＣＲモードで動作すること、
を含む、請求項３に記載のコンテンツ保存登録解除モード動作方法。
【請求項５】
前記第１のメッセージは、登録解除要請（ＡＡＩ＿ＤＲＥＧ−ＲＥＱ）メッセージであり、
前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、
前記第２のメッセージは、登録解除応答（ＡＡＩ＿ＤＲＥＧ−ＲＳＰ）メッセージであり、
前記進入要請の受諾を示す第２のコードは、‘０ｘ０８’に設定された動作コードであることを特徴とする、請求項４に記載のコンテンツ保存登録解除モード動作方法。
【請求項６】
広帯域無線接続システムにおいて基地局のコンテンツ保存登録解除（ＤＣＲ）モード動作方法であって、
登録要請（ＡＡＩ＿ＲＥＧ−ＲＥＱ）メッセージを端末から受信し、
前記基地局を含むネットワークで前記端末の接続情報（ＡＭＳ  ｃｏｎｔｅｘｔ）と関連して前記端末を識別するための識別子を含む登録応答（ＡＡＩ＿ＲＥＧ−ＲＳＰ）メッセージを前記端末に伝送すること、
を含む、コンテンツ保存登録解除モード動作方法。
【請求項７】
前記識別子は、
コンテクスト保存識別子（ＣＲＩＤ）であることを特徴とする、請求項６に記載のコンテクスト保存登録解除モード動作方法。
【請求項８】
前記登録応答メッセージは、
前記端末が前記基地局にネットワーク進入（ｎｅｔｗｏｒｋ  ｅｎｔｒｙ）を行ったり、前記基地局のレガシー端末を支援する領域から前記レガシー端末よりも進歩した端末を支援する領域へと領域変更（ｚｏｎｅ  ｓｗｉｔｃｈ）を行う時に伝送されることを特徴とする、請求項７に記載のコンテンツ保存登録解除モード動作方法。
【請求項９】
前記ＤＣＲモードへの進入要請を示す第１のコードを含む第１のメッセージを、前記端末から受信し、
前記進入要請を受諾するか否か判断し、
前記進入要請を受諾する場合、前記端末のコンテクストを所定のネットワーク個体に伝達し、
前記進入要請の受諾を示す第２のコードを含む第２のメッセージを、前記端末に伝送すること、
を含む、請求項８に記載のコンテンツ保存登録解除モード動作方法。
【請求項１０】
前記第１のメッセージは、登録解除要請（ＡＡＩ＿ＤＲＥＧ−ＲＥＱ）メッセージであり、
前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、
前記第２のメッセージは登録解除応答（ＡＡＩ＿ＤＲＥＧ−ＲＳＰ）メッセージであり、
前記進入要請の受諾を示す第２のコードは、‘０ｘ０８’に設定された動作コードであることを特徴とする、請求項９に記載のコンテンツ保存登録解除モード動作方法。
【請求項１１】
広帯域無線接続システムにおいて動作する移動端末機であって、
プロセッサと、
前記プロセッサの制御によって外部と無線信号を送受信する無線通信（ＲＦ）モジュールと、
を含み、
前記プロセッサは、
前記無線通信モジュールを制御して登録要請（ＡＡＩ＿ＲＥＧ−ＲＥＱ）メッセージを基地局に伝送し、前記登録要請メッセージに対する応答として前記基地局から受信される登録応答（ＡＡＩ＿ＲＥＧ−ＲＳＰ）メッセージを通じて、前記基地局を含むネットワークで前記移動端末機の接続情報（ＡＭＳ  ｃｏｎｔｅｘｔ）と関連して前記移動端末機を識別するための識別子を獲得するように制御することを特徴とする、移動端末機。
【請求項１２】
前記識別子は、
コンテクスト保存識別子（ＣＲＩＤ）であることを特徴とする、請求項１１に記載の移動端末機。
【請求項１３】
前記登録応答メッセージは、
前記移動端末機が前記基地局にネットワーク進入（ｎｅｔｗｏｒｋ  ｅｎｔｒｙ）を行ったり、前記基地局のレガシー端末を支援する領域（ＬＺｏｎｅ）から前記レガシー端末よりも進歩した端末を支援する領域（ＭＺｏｎｅ）へと領域変更（ｚｏｎｅ  ｓｗｉｔｃｈ）を行う時に受信されることを特徴とする、請求項１２に記載の移動端末機。
【請求項１４】
前記プロセッサは、
コンテンツ保存登録解除（ＤＣＲ）モードへの進入要請を示す第１のコードを含む第１のメッセージが基地局に伝送されるように前記無線通信モジュールを制御し、前記進入要請を受諾するか否かを示す第２のコードを含む第２のメッセージが前記基地局から受信されると、前記第２のコードが前記進入要請の受諾を示す場合、既に設定されたタイマーが有効な時間の間に、前記ＤＣＲモードで動作するように制御することを特徴とする、請求項１３に記載の移動端末機。
【請求項１５】
前記第１のメッセージは、登録解除要請（ＡＡＩ＿ＤＲＥＧ−ＲＥＱ）メッセージであり、
前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、
前記第２のメッセージは、登録解除応答（ＡＡＩ＿ＤＲＥＧ−ＲＳＰ）メッセージであり、
前記進入要請の受諾を示す第２のコードは、‘０ｘ０８’に設定された動作コードであることを特徴とする、請求項１４に記載の移動端末機。
【発明の詳細な説明】
【技術分野】
【０００１】
本発明は、広帯域無線接続システムに係り、特に、端末がページング手順を行わずに所定時間電力を節約する方法及びそのための装置に関するものである。
【背景技術】
【０００２】
以下、本発明の実施例と関連する端末の遊休モード及びページンググループについて簡略に説明する。
【０００３】
遊休モード（Ｉｄｌｅ  Ｍｏｄｅ）は、一般に、端末が多重基地局で構成された無線リンク環境を移動する際に特定基地局に登録しなくても、ダウンリンク（ＤＬ：ＤｏｗｎＬｉｎｋ）ブロードキャストトラフィックの伝送が周期的になされるように支援する動作のことをいう。
【０００４】
端末は、基地局から一定時間トラフィック（ｔｒａｆｆｉｃ）を受信しない場合、電力を節約（Ｐｏｗｅｒ  ｓａｖｉｎｇ）するために遊休モードに遷移できる。遊休モードに遷移した端末は、平均的期間（Ａｖａｉｌａｂｌｅ  ｉｎｔｅｒｖａｌ）の間に基地局が伝送する放送メッセージ（例えば、ページングメッセージ）を受信し、正規モード（ｎｏｒｍａｌ  ｍｏｄｅ）に遷移するか、または、遊休モードに泊まるかを判断できる。また、遊休モードにある端末は、位置更新を行うことにより、ページングコントローラ（Ｐａｇｉｎｇ  ｃｏｎｔｒｏｌｌｅｒ）に自身の位置を知らせることができる。
【０００５】
遊休モードは、ハンドオーバーと関連した活性要求及び一般的な運営要求を除去することによって、端末によい結果をもたらすことができる。遊休モードは、端末活動を離散周期においてスキャニングするように制限することによって、端末が使用する電力及び運用リソースの節約を可能にすることができる。
【０００６】
また、遊休モードは、端末に保留（ｐｅｎｄｉｎｇ）中のダウンリンクトラフィックについて知らせうる簡単且つ適切な方式を提供し、非活動的な端末から無線インターフェース及びネットワークハンドオーバー（ＨＯ：ＨａｎｄＯｖｅｒ）トラフィックを除去することによって、ネットワーク及び基地局によい結果をもたらすことができる。
【０００７】
ページングとは、移動通信において、着信呼の発生時に、該当する移動端末（ＭＳ：Ｍｏｂｉｌｅ  Ｓｔａｔｉｏｎ）の位置（例えば、移動端末がどの基地局または交換局などに属しているか）を把握する機能のことをいう。遊休モードを支援する多数の基地局（ＢＳ：Ｂａｓｅ  Ｓｔａｔｉｏｎ）は、特定ページンググループ（Ｐａｇｉｎｇ  Ｇｒｏｕｐ）に所属してページング領域を構成することができる。
【０００８】
ここで、ページンググループは論理的なグループを意味する。ページンググループの目的は、移動端末（ＭＳ）をターゲット（ｔａｒｇｅｔ）とするトラフィックがある場合、ダウンリンク（ＤＬ：ＤｏｗｎＬｉｎｋ）でページ（ｐａｇｅ）されうる隣接範囲領域を提供することにある。ページンググループは、特定端末が同一ページンググループ内で大部分の時間を泊まるような程度に十分に大きく、ページング負荷が適正なレベルを維持するために十分に小さくなければならないという条件を満たすことが好ましい。
【０００９】
ページンググループは、一つ以上の基地局を含むことができ、一つの基地局は、一つまたはそれ以上のページンググループに含まれればよい。ページンググループは管理システムにより定義される。ページンググループでは、ページンググループ−実行（ａｃｔｉｏｎ）バックボーンネットワークメッセージを用いることができる。また、ページングコントローラは、バックボーンネットワークメッセージの一つであるページング公知（ｐａｇｉｎｇ−ａｎｎｏｕｎｃｅ）メッセージを用いて、遊休モードである端末のリストを管理し、ページンググループに属する全ての基地局の初期ページングを管理できる。
【００１０】
ページングの成功率を高めるために、端末は、位置更新（Ｌｏｃａｔｉｏｎ  Ｕｐｄａｔｅ）手順を行うことができる。位置更新とは、遊休モードに進入した端末に対するページング時の成功率（ｈｉｔ  ｒａｔｉｏ）を高めるための端末の動作であり、端末が新しい地域へ移動する時、自身が進入した新しい位置または領域をネットワーク（ｎｅｔｗｏｒｋ）に報告する過程のことををいう。このような位置更新手順は、端末と基地局がレンジング要請（ＲＮＧ−ＲＥＱ）メッセージ及びレンジング応答（ＲＮＧ−ＲＳＰ）メッセージを交換する方法で行うことができる。
【００１１】
以下、図１を参照して、一般のＩＥＥＥ  ８０２．１６システムにおいて端末が遊休モードに進入して動作する手順の一例を説明する。
【００１２】
図１を参照すると、まず、端末は、正規モードから遊休モードに進入するために、サービング基地局に登録解除要請（ｄｅ−ｒｅｇｉｓｔｒａｔｉｏｎ  ｒｅｑｕｅｓｔ；以下、「ＤＲＥＧ−ＲＥＱ」という。）メッセージを伝送できる（Ｓ１０１）。
【００１３】
ＤＲＥＧ−ＲＥＱメッセージを受信したサービング基地局は、ページングコントローラ（Ｐａｇｉｎｇ  Ｃｏｎｒｔｏｌｌｅｒ）と端末及びサービング基地局の情報をやり取りすることができる。すなわち、サービング基地局は、遊休モードに進入する端末識別子及びサービング基地局識別子をページングコントローラに知らせることができる。また、ページングコントローラは、ページンググループ識別子（ＰＧＩＤ：Ｐａｇｉｎｇ  Ｇｒｏｕｐ  ＩＤ）またはページングコントローラ識別子（ＰＣＩＤ：Ｐａｇｉｎｇ  Ｃｏｎｔｒｏｌｌｅｒ  ＩＤ）情報をサービング基地局に知らせることができる。ページンググループ識別子またはページングコントローラ識別子は、ページングメッセージを送受信するのに用いることができる（Ｓ１０２）。
【００１４】
その後、サービング基地局は端末に登録解除命令（Ｄｅ−ＲＥＧｉｓｔｒａｔｉｏｎ  ＣｏＭｍａｎＤ；以下、「ＤＲＥＧ−ＣＭＤ」という。）を伝送できる。サービング基地局は、登録解除要請メッセージに対する応答として登録解除命令（ＭＯＢ＿ＤＲＥＧ−ＣＭＤ）メッセージを端末に伝送できる。登録解除命令メッセージは、ページング情報（Ｐａｇｉｎｇ  Ｉｎｆｏｒｍａｔｉｏｎ）を含むことができる。ここで、ページング情報は、ページング周期（Ｐａｇｉｎｇ  Ｃｙｃｌｅ）、ページングオフセット（Ｐａｇｉｎｇ  Ｏｆｆｓｅｔ）及びページング聴取区間（Ｐａｇｉｎｇ  Ｌｉｓｔｅｎ  Ｉｎｔｅｒｖａｌ）などのパラメータを含むことができる。また、登録解除命令メッセージは、ページングコントローラ識別子及びページンググループ識別子をさらに含むことができる（Ｓ１０３）。
【００１５】
サービング基地局からＤＲＥＧ−ＣＭＤメッセージを受信した端末は、遊休モード進入要請が成功的に受諾されたことを確認し、遊休モードに進入することができる。端末は、ＭＯＢ＿ＤＲＥＧ−ＣＭＤメッセージを通じて受信したページング情報に基づいてページングメッセージを受信することができる。すなわち、端末は、ページング聴取区間において、自身に伝達されるページングメッセージがあるか確認するために、無線チャネル（Ｃｈａｎｎｅｌ）をモニタすることができる。それ以外の時間においては、端末は睡眠モード（Ｓｌｅｅｐ  ｍｏｄｅ  ｏｒ  Ｒａｄｉｏ  Ｔｕｒｎ  ｏｆｆ）で動作し、電力（Ｐｏｗｅｒ）消耗を軽減できる（Ｓ１０４）。
【００１６】
ページングコントローラ（Ｐａｇｉｎｇ  Ｃｏｎｔｒｏｌｌｅｒ）には、端末へのコール（Ｃａｌｌ）または外部パケットが入ることがある（Ｓ１０５）。
【００１７】
これに応じて、ページングコントローラは、端末を探すページング（Ｐａｇｉｎｇ）手順を行うことができる。このとき、ページングコントローラは、ページンググループ内における全ての基地局にページング公知メッセージ（Ｐａｇｉｎｇ  Ａｎｎｏｕｎｃｅｍｅｎｔ  ｍｅｓｓａｇｅ）を伝達することができる（Ｓ１０６）。
【００１８】
ページング公知メッセージを受信したページンググループ内における全ての基地局は、自身が管理する全端末にページング公示（ＭＯＢ＿ＰＡＧ−ＡＤＶ）メッセージをブロードキャストすることができる（Ｓ１０７）。
【００１９】
サービング基地局からページング公示メッセージを受信した端末は、メッセージを確認し、自身をページングした場合はノーマルモードに進入し、サービング基地局と通信を行うことができる（Ｓ１０８、Ｓ１０９）。
【００２０】
しかしながら、一般のＩＥＥＥ  ８０２．１６ベースの無線通信システムにおいて、端末は、電力を節約するためにページング手順が不要な場合にも遊休モードに進入しなければならず、不要にページング関連情報が割り当てられることがあった。その場合、端末は遊休モードでページングメッセージを受信する必要がなくてもページング区間に合わせて目覚めなければならない。
【発明の概要】
【発明が解決しようとする課題】
【００２１】
本発明は、上記の広帯域無線接続システムにおいて一般的なＤＣＲモード動作の問題点を解決するために案出されたものである。
【００２２】
本発明の目的は、端末がページング手順を行わずに效率的に電力を節約する方法及びそのための装置を提供することにある。
【００２３】
本発明の他の目的は、電力節約のためのモードでネットワーク再進入を行う効率的な方法及びそのための装置を提供することにある。
【００２４】
本発明で解決しようとする技術的課題は、以上で言及した技術的課題に制限されず、言及していない他の技術的課題は、下の記載から、本発明の属する技術分野における通常の知識を有する者には明確に理解されるであろう。
【課題を解決するための手段】
【００２５】
上記の一般的技術の問題点を解決するために、本発明の一実施例に係る広帯域無線接続システムにおいて端末のコンテンツ保存登録解除（ＤＣＲ）モード動作方法は、登録要請（ＡＡＩ＿ＲＥＧ−ＲＥＱ）メッセージを基地局に伝送するステップと、前記基地局を含むネットワークで前記端末の接続情報（ＡＭＳ  ｃｏｎｔｅｘｔ）と関連して前記端末を識別するための識別子を含む登録応答（ＡＡＩ＿ＲＥＧ−ＲＳＰ）メッセージを前記基地局から受信するステップと、を含むことができる。
【００２６】
ここで、前記識別子は、コンテクスト保存識別子（ＣＲＩＤ）であると好ましい。
【００２７】
また、前記登録応答メッセージは、前記端末が前記基地局にネットワーク進入（ｎｅｔｗｏｒｋ  ｅｎｔｒｙ）を行ったり、前記基地局のレガシー端末を支援する領域から前記レガシー端末よりも進歩した端末を支援する領域へと領域変更（ｚｏｎｅ  ｓｗｉｔｃｈ）を行う時に受信されることが好ましい。
【００２８】
また、前記動作方法は、前記ＤＣＲモードへの進入要請を示す第１のコードを含む第１のメッセージを前記基地局に伝送するステップと、前記進入要請を受諾するか否かを示す第２のコードを含む第２のメッセージを前記基地局から受信するステップと、前記第２のコードが前記進入要請の受諾を示す値に設定された場合、既に設定されたタイマーが有効な時間の間に、前記ＤＣＲモードで動作するステップと、を含むことができる。
【００２９】
なお、前記第１のメッセージは、登録解除要請（ＡＡＩ＿ＤＲＥＧ−ＲＥＱ）メッセージであり、前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、前記第２のメッセージは、登録解除応答（ＡＡＩ＿ＤＲＥＧ−ＲＳＰ）メッセージであり、前記進入要請の受諾を示す第２のコードは‘０ｘ０８’に設定された動作コードであると好ましい。
【００３０】
上記の一般的技術の問題点を解決するために、本発明の他の実施例に係る広帯域無線接続システムにおいて基地局のコンテンツ保存登録解除（ＤＣＲ）モード動作方法は、登録要請（ＡＡＩ＿ＲＥＧ−ＲＥＱ）メッセージを端末から受信するステップと、前記基地局を含むネットワークで前記端末の接続情報（ＡＭＳ  ｃｏｎｔｅｘｔ）と関連して前記端末を識別するための識別子を含む登録応答（ＡＡＩ＿ＲＥＧ−ＲＳＰ）メッセージを前記端末に伝送するステップと、を含むことができる。
【００３１】
ここで、前記識別子は、コンテクスト保存識別子（ＣＲＩＤ）であると好ましい。
【００３２】
また、前記登録応答メッセージは、前記端末が前記基地局にネットワーク進入（ｎｅｔｗｏｒｋ  ｅｎｔｒｙ）を行ったり、前記基地局のレガシー端末を支援する領域から前記レガシー端末よりも進歩した端末を支援する領域へと領域変更（ｚｏｎｅ  ｓｗｉｔｃｈ）を行う時に伝送されることが好ましい。
【００３３】
なお、前記第１のメッセージは、登録解除要請（ＡＡＩ＿ＤＲＥＧ−ＲＥＱ）メッセージであり、前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、前記第２のメッセージは、登録解除応答（ＡＡＩ＿ＤＲＥＧ−ＲＳＰ）メッセージであり、前記進入要請の受諾を示す第２のコードは、‘０ｘ０８’に設定された動作コードであると好ましい。
【００３４】
また、前記動作方法は、前記ＤＣＲモードへの進入要請を示す第１のコードを含む第１のメッセージを前記端末から受信するステップと、前記進入要請を受諾するか否か判断するステップと、前記進入要請を受諾する場合、前記端末のコンテクスト（ｃｏｎｔｅｘｔ）を所定のネットワーク個体に伝達するステップと、前記進入要請の受諾を示す第２のコードを含む第２のメッセージを前記端末に伝送するステップと、をさらに含むことができる。
【００３５】
なお、前記第１のメッセージは、登録解除要請（ＡＡＩ＿ＤＲＥＧ−ＲＥＱ）メッセージであり、前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、前記第２のメッセージは、登録解除応答（ＡＡＩ＿ＤＲＥＧ−ＲＳＰ）メッセージであり、前記進入要請の受諾を示す第２のコードは、‘０ｘ０８’に設定された動作コードであると好ましい。
【００３６】
上記の一般的技術の問題点を解決するために、本発明のさらに他の実施例に係る広帯域無線接続システムにおいて動作する移動端末機は、プロセッサと、該プロセッサの制御によって外部と無線信号を送受信する無線通信（ＲＦ）モジュールと、を含むことができる。ここで、前記プロセッサは、前記無線通信モジュールを制御して登録要請（ＡＡＩ＿ＲＥＧ−ＲＥＱ）メッセージを基地局に伝送し、前記登録要請メッセージに対する応答として前記基地局から受信される登録応答（ＡＡＩ＿ＲＥＧ−ＲＳＰ）メッセージを通じて、前記基地局を含むネットワークで前記移動端末機の接続情報（ＡＭＳ  ｃｏｎｔｅｘｔ）と関連して前記移動端末機を識別するための識別子を獲得するように制御することができる。
【００３７】
ここで、前記識別子は、コンテクスト保存識別子（ＣＲＩＤ）であると好ましい。
【００３８】
また、前記登録応答メッセージは、前記移動端末機が前記基地局にネットワーク進入（ｎｅｔｗｏｒｋ  ｅｎｔｒｙ）を行ったり、前記基地局のレガシー端末を支援する領域（ＬＺｏｎｅ）から前記レガシー端末よりも進歩した端末を支援する領域（ＭＺｏｎｅ）へと領域変更（ｚｏｎｅ  ｓｗｉｔｃｈ）を行う時に受信されることが好ましい。
【００３９】
また、前記プロセッサは、コンテンツ保存登録解除（ＤＣＲ）モードへの進入要請を示す第１のコードを含む第１のメッセージが基地局に伝送されるように前記無線通信モジュールを制御し、前記進入要請を受諾するか否かを示す第２のコードを含む第２のメッセージが前記基地局から受信されると、前記第２のコードが前記進入要請の受諾を示す場合、既に設定されたタイマーが有効な時間の間に、前記ＤＣＲモードで動作するように制御することができる。
【００４０】
なお、前記第１のメッセージは、登録解除要請（ＡＡＩ＿ＤＲＥＧ−ＲＥＱ）メッセージであり、前記進入要請を示す第１のコードは、‘０ｘ０４’に設定された登録解除要請コード（Ｄｅｒｅｇｉｓｔｒａｔｉｏｎ＿Ｒｅｑｕｅｓｔ＿Ｃｏｄｅ）であり、前記第２のメッセージは、登録解除応答（ＡＡＩ＿ＤＲＥＧ−ＲＳＰ）メッセージであり、前記進入要請の受諾を示す第２のコードは、‘０ｘ０８’に設定された動作コードであると好ましい。
【発明の効果】
【００４１】
本発明の実施例によれば、下記の効果が得られる。
【００４２】
第一に、本発明の実施例によると、端末はページング手順を行わずに所定期間の間に電力を節約することが可能になる。
【００４３】
第二に、端末の迅速なネットワーク再進入のための情報がネットワーク個体により保管されるため、端末は效率的にネットワーク再進入を行うことが可能になる。
【００４４】
本発明から得られる効果は、以上に言及した効果に制限されるものではなく、言及していない別の効果は、下の記載から、本発明の属する技術の分野における通常の知識を有する者には明確に理解されるであろう。
【図面の簡単な説明】
【００４５】
【図１】一般のＩＥＥＥ  ８０２．１６システムにおいて端末が遊休モードに進入して動作する手順の一例を示す図である。
【図２】本発明の一実施例に係る、端末のＤＣＲモード動作手順の一例を示す図である。
【図３】本発明の一実施例に係る、端末が遊休モードからＤＣＲモードに遷移する動作手順の一例を示す図である。。
【図４】本発明の一実施例に係る、端末がＤＣＲモードから遊休モードに遷移する動作手順の一例を示す図である。
【図５】本発明の他の実施例に係る、ＤＣＲモードで動作する端末がネットワーク再進入を行う動作手順の一例を示す図である。
【図６】本発明の他の実施例に係る、ＤＣＲモードで動作する端末がネットワーク再進入を行う動作手順の他の例を示す図である。
【図７】統合レンジングチャネル（ｕｎｉｆｉｅｄ  ｒａｎｇｉｎｇ  ｃｈａｎｎｅｌ）構造の一例を示す図である。
【図８】本発明の他の実施例に係る、ＤＣＲモードで動作する端末がネットワーク再進入を行う動作手順のさらに他の例を示す図である。
【図９】本発明の他の実施例として、送信端及び受信端構造の一例を表すブロック図である。
【発明を実施するための形態】
【００４６】
以下、添付の図面を参照しつつ、本発明の実施例をより詳細に説明する。可能な限り、重複する部分には同一の図面符号を付する。
【００４７】
本発明は、無線接続システムに関するものである。以下、本発明の実施例は、フェムト基地局の効率的な低負荷モード動作方法を開示する。
【００４８】
下記の実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施してもよい。また、一部の構成要素及び／または特徴を結合して本発明の実施例を構成してもよい。本発明の実施例で説明される動作の順序は変更可能である。ある実施例の一部構成や特徴は、他の実施例に含まれてもよく、他の実施例の対応する構成または特徴に取って代わってもよい。
【００４９】
図面についての説明において、本発明の要旨を曖昧にする手順または段階などは記述しない他、当業者のレベルで理解できるような手順または段階についても説明を省略するものとする。
【００５０】
本明細書において、本発明の実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）の意味を有する。本文書で、基地局により行われるとした特定動作は、場合によっては、基地局の上位ノード（ｕｐｐｅｒ  ｎｏｄｅ）により行われてもよい。
【００５１】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の別のネットワークノードで行うことができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（Ａｃｃｅｓｓ  Ｐｏｉｎｔ）、または発展した基地局（Ａｄｖａｎｃｅｄ  Ｂａｓｅ  Ｓｔａｔｉｏｎ）などの用語に代替可能である。また、‘端末（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、または発展した移動端末（ＡＭＳ：Ａｄｖａｎｃｅｄ  Ｍｏｂｉｌｅ  Ｓｔａｔｉｏｎ）などの用語に代替可能である。
【００５２】
また、送信端は、データまたは音声サービスを提供するノードを意味し、受信端は、データまたは音声サービスを受信するノードを意味する。したがって、アップリンクでは、端末が送信端となり、基地局が受信端となればよい。同様に、ダウンリンクでは、端末が受信端となり、基地局が送信端となればよい。
【００５３】
一方、本発明の移動端末には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５４】
本発明に係る実施例は、様々な手段、例えば、ハードウェア、ファームウェア（ｆｉｒｍｗａｒｅ）、ソフトウェアまたはそれらの結合などにより具現することができる。
【００５５】
ハードウェアによる具現の場合、本発明の一実施例による方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００５６】
ファームウェアやソフトウェアによる具現の場合、本発明の一実施例に係る方法は、以上で説明された機能または動作を行うモジュール、手順または関数などの形態で具現することができる。ソフトウェアコードは、メモリユニットに記憶され、プロセッサにより駆動されればよい。メモリユニットは、プロセッサの内部または外部に設けられて、周知の様々な手段によりプロセッサとデータを授受することができる。
【００５７】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示された標準文書によりサポートできる。すなわち、本発明の実施例において、技術的思想を明確にするために説明を省略した段階または部分は、上記の文書によりサポートできる。また、本文書で開示している用語はいずれも上記の標準文書により説明できる。特に、本発明の実施例は、ＩＥＥＥ  ８０２．１６システムの標準文書であるＰ８０２．１６ｅ−２００４、Ｐ８０２．１６ｅ−２００５及びＰ８０２．１６Ｒｅｖ２文書の一つ以上によりサポートできる。
【００５８】
以下の説明において使われる特定用語は、本発明の理解を助けるために提供されたもので、このような特定用語の使用は、本発明の技術的思想を逸脱しない範囲で他の形態に変更可能である。
【００５９】
本明細書は、ＩＥＥＥ  ８０２．１６システムを取り上げて説明する。特に、以下に登場する端末は、ＩＥＥＥ  ８０２．１６ｍ標準で定義する規格を満たすＡＭＳ（Ａｄｖａｎｃｅｄ  Ｍｏｂｉｌｅ  Ｓｔａｔｉｏｎ）を取り上げる。
【００６０】
以下、本発明で提案するコンテンツ保存登録解除（ＤＣＲ：Ｄｅｒｅｇｉｓｔｒａｔｉｏｎ  ｗｉｔｈ  ｃｏｎｔｅｎｔ  ｒｅｔｅｎｔｉｏｎ；以下、「ＤＣＲ」という。）モードについて説明する。
【００６１】
ＤＣＲモードとは、端末がネットワークから登録解除されるが、所定の時間であるリソース保存時間（Ｒｅｓｏｕｒｃｅ  Ｒｅｔａｉｎ  Ｔｉｍｅ）が有効である間は、そのコンテクスト（ｃｏｎｔｅｘｔ）がネットワーク個体（ｎｅｔｗｏｒｋ  ｅｎｔｉｔｙ）により保存されるモードのことをいう。ここで、リソース保存時間に対するタイマーは、「リソース保存タイマー（Ｒｅｓｏｕｒｃｅ  Ｒｅｔａｉｎ  ｔｉｍｅｒ）」と呼ぶことができる。
【００６２】
リソース保存タイマーが有効である間は、ネットワークは、端末の迅速なネットワーク再進入に要求される情報を保存する。ＤＣＲモードに進入する時、端末には登録解除識別子（Ｄｅｒｅｇｉｓｔｒａｔｉｏｎ  ＩＤｅｎｔｉｆｉｅｒ；以下、「ＤＩＤ」という。）がページング周期及びページングオフセットと共に割り当てられる。この時に割り当てられるＤＩＤは、遊休モード（Ｉｄｌｅ  ｍｏｄｅ）で用いられるＤＩＤと区別するために、ページング周期及びページングオフセットの値を‘０’に設定したり、ページング周期及びページングオフセット情報を割り当てることなくＤＩＤのみ割り当てたりし、これにより、ＤＣＲモードに進入する端末を区別することができる。この時に割り当てられるＤＩＤは、遊休モードに進入する時に用いられる端末識別子と異なることがある。ＤＣＲモードで端末を識別するために、上記ＤＩＤと異なる別の識別子（例えば、ＣＲＩＤ：Ｃｏｎｔｅｘｔ  Ｒｅｔｅｎｔｉｏｎ  Ｉｄｅｎｔｉｆｉｅｒ）が用いられてもよい。ＤＩＤと異なる別の識別子が用いられると、該ＤＩＤは遊休モード状態の端末を区別する用途にのみ用いればよい。
【００６３】
もし、ＤＣＲモード上の端末を識別するためにＤＩＤと異なる識別子を使用する場合では、この識別子は、ＤＣＲモードの他にも、端末が現在の基地局の領域（ｃｏｖｅｒａｇｅ）から外れて接続の切れた場合である領域離脱（ｃｏｖｅｒａｇｅ  ｌｏｓｓ）状態において、端末を識別するための識別子にも用いることができる。ＤＣＲモードまたは領域離脱状態の端末を区別するためには、ＤＩＤと異なる識別子が用いられる場合、この識別子をＣＲＩＤと総称する。ただし、これは便宜のためのもので、ＣＲＩＤは他の名称にしてもよい。
【００６４】
一方、ＣＲＩＤは、少なくとも一つの基地局を含むネットワーク内において端末の接続情報（すなわち、ＡＭＳ  ｃｏｎｔｅｘｔ）と関連して端末を識別するために用いられてもよい。このようなＣＲＩＤは、ネットワーク進入時に、または、端末（ＡＭＳ）が、ＩＥＥＥ  ８０２．１６ｍシステムにおいてレガシー端末（ＹＭＳ、ＩＥＥＥ  ８０２．１６ｅ規格の端末）を支援する領域（ＬＺｏｎｅ）からＡＭＳを支援する領域（ＭＺｏｎｅ）へと領域変更を行う時に、登録応答（ＡＡＩ＿ＲＥＧ−ＲＳＰ）メッセージに含まれて端末に割り当てられればよい。ＣＲＩＤは、端末がネットワーク再進入を行う時（ハンドオーバーの場合、ＤＣＲモードから復帰する場合、または領域離脱（  ｃｏｖｅｒａｇｅ  ｌｏｓｓ）状態でネットワーク再進入を行う場合）に、レンジング応答（ＡＡＩ＿ＲＮＧ−ＲＳＰ）メッセージを通じて更新されてもよい。
【００６５】
（第１の実施例）
まず、本発明の一実施例によれば、端末がＤＣＲモードに遷移する方法が提供される。
【００６６】
まず、端末がネットワークに接続した状態（ｃｏｎｎｅｃｔｅｄ  ｓｔａｔｅ）でＤＣＲモードに遷移する方法を、図２を参照して説明する。
【００６７】
図２は、本発明の一実施例に係る、端末のＤＣＲモード動作手順の一例を示す図である。
【００６８】
図２を参照すると、端末は、サービング基地局に接続した状態で正常にデータ交換を行う途中で、ＤＣＲモードに進入することができる（Ｓ２０１）。
【００６９】
そのために、端末は、ＤＣＲモードを登録解除要請（ＡＡＩ＿ＤＲＥＧ−ＲＥＱ）メッセージに特定パラメータ値を設定してサービング基地局に伝送する方法でＤＣＲモードを開始（ｉｎｉｔｉａｔｉｏｎ）することができる（Ｓ２０２）。
【００７０】
この時、特定パラメータは、登録解除要請コード（Ｄｅｒｅｇｉｓｔｒａｔｉｏｎ＿Ｒｅｑｕｅｓｔ＿Ｃｏｄｅ）フィールドであると好ましく、その値は０ｘ０４に設定することができる。
【００７１】
このパラメータの設定についてより詳細に説明すると、ＡＡＩ＿ＤＲＥＧ−ＲＥＱメッセージを通じて伝送される登録解除要請コードの構成は、下記の表１のように２通りに区別することができる。
【００７２】
表１は、本発明の実施例に適用されうる登録解除要請メッセージの一部形態の一例を表すものである。
【００７３】
【表１】
0005503736.tif 000002
表１を参照すると、登録解除要請コードが０ｘ０４の場合、基地局は、該当の端末のためのデータパケットをドロップ（ｄｒｏｐ）でき、０ｘ０５の場合、ターゲット無線（ｔａｒｇｅｔ  ＲＡＴ：ｔａｒｇｅｔ  Ｒａｄｉｏ  Ａｃｃｅｓｓ  Ｔｅｃｈｎｏｌｏｇｙ）基地局にデータパケットを伝達（ｆｏｒｗａｒｄｉｎｇ）できる。結局、ネットワークレイヤー（ｎｅｔｗｏｒｋ  ｌａｙｅｒ）においてコード値０ｘ０４、０ｘ０５によって行為が異なってくることがあるため、要請コードを区別する必要がある。ただし、一般的なＤＣＲモード進入の場合は、登録解除要請コード値を‘０ｘ０４’に設定することが好ましい。
【００７４】
この時、端末は、ＤＣＲモードの管理の目的で、特定サービス及び動作情報を保存することを要請することができる。その方法には、保存を要請する特定サービスまたは動作情報などを、ＤＣＲモード保存情報要素（ＤＣＲ  Ｍｏｄｅ  Ｒｅｔａｉｎ  Ｉｎｆｏｒｍａｔｉｏｎ  ｅｌｅｍｅｎｔ）の形態として含める方法を用いることができる。この場合、ＤＣＲモード保存情報要素は、遊休モード保存情報要素（Ｉｄｌｅ  ｍｏｄｅ  Ｒｅｔａｉｎ  Ｉｎｆｏｒｍａｔｉｏｎ  ｅｌｅｍｅｎｔ）と同一でも異なってもよい。
【００７５】
サービング基地局は、端末のＤＣＲモード進入要請を受諾する場合、端末が保存要請した情報を、ネットワーク個体（ここでは、ページングコントローラあるいはＡｕｔｈｅｎｔｉｃａｔｏｒ  ＡＳＮ−ＧＷ）に伝達することができる（Ｓ２０３）。
【００７６】
また、登録解除応答メッセージ（ＡＡＩ＿ＤＲＥＧ−ＲＳＰ）に動作コード（ａｃｔｉｏｎ  ｃｏｄｅ）を特定値に設定して端末に伝送することができる（Ｓ２０４）。
【００７７】
この時、登録解除応答メッセージに含まれる動作コードの各値は、下記の表２のとおりである。
【００７８】
【表２】
0005503736.tif 000003
表２を参照すると、上記特定値は、端末の登録解除要請コード０ｘ０４に対する端末の接続情報保存を許諾する場合であるから、０ｘ０８であると好ましい。この時、端末がＤＣＲモードでネットワーク再進入を試みる場合、端末を識別するための識別子が含まれてもよい。この識別子が、遊休モードで用いられるＤＩＤと共に用いられる場合であれば、ページング情報（すなわち、ページング周期、ページングオフセットなど）はいずれも‘０’または‘ｎｕｌｌ’に設定されたり、登録解除応答メッセージに含まれないことから、登録解除応答メッセージに含まれたＤＩＤが、ＤＣＲモードで用いられる識別子であるということを知らせなければならない。
【００７９】
ＤＩＤと異なる別の識別子が用いられる場合は、別の識別子であるＣＲＩＤが登録解除応答メッセージに含まれればよい。ＣＲＩＤが用いられる場合は、ＤＣＲモード進入前にネットワーク進入または再進入手順において登録応答メッセージ（ＡＡＩ＿ＲＥＧ−ＲＳＰ）を通じて割り当てられたり、登録解除応答メッセージを通じて割り当てられたりすればよい。ＣＲＩＤが用いられる場合、ＣＲＩＤは、ＤＩＤに‘０’に設定されたページング情報を表すビットが結合された形態になってもよく、ＤＩＤにＤＣＲモードで使用するか否かを表す１〜２ビットの識別子を追加した形態になってもよい。このような識別子の詳細は後述される。
【００８０】
また、登録解除応答メッセージには、端末が保存要請した情報に対応してＤＣＲモード保存情報要素の形態として保存できる特定サービスまたは動作情報などが含まれてもよい。この場合、ＤＣＲモード保存情報要素は、遊休モード保存情報要素と同一であっても異なってもよい。
【００８１】
なお、登録解除応答メッセージには、端末が保存要請した情報を保管するネットワーク個体の識別子（例えば、ページングコントローラ識別子：ＰＣＩＤあるいはＡｕｔｈｅｎｔｉｃａｔｏｒ  ｎｅｔｗｏｒｋ  ｅｎｔｉｔｙ  ＩＤ）などがさらに含まれてもよい。
【００８２】
もし、サービング基地局が端末のＤＣＲモード進入要請を拒否する場合は、表２に示すとおり、登録解除応答メッセージの動作コードを、端末のコンテクスト保存の拒絶を表す値である０ｘ０９に設定して端末に伝送すればよい。
【００８３】
サービング基地局から登録解除応答メッセージを受信した端末は、ＤＣＲモードで動作することができる（Ｓ２０５）。
【００８４】
端末がＤＣＲモードで動作する間に、端末と基地局とは基本的に、端末がＤＣＲモードでネットワーク再進入を要請する場合、またはリソース保存時間の延長を要請する場合を除けば、ページング手順を含めていかなるデータ交換も行わない。
【００８５】
その後、端末は、ＤＣＲモードから正規モードに遷移するために基地局にレンジング要請メッセージを伝送することができる（Ｓ２０６）。
【００８６】
この時、端末は、ＤＣＲモード動作を終了することを表すために、レンジング要請メッセージのレンジング目的コード（ｒａｎｇｉｎｇ  ｐｕｒｐｏｓｅ  ｃｏｄｅ）を特定値に設定することができる。この時に設定可能なレンジング目的コードの値を、表３を参照して説明する。
【００８７】
【表３】
0005503736.tif 000004
表３を参照すると、端末は、レンジング目的フィールドを、ＤＣＲモードでのネットワーク再進入を表すビットである０ｘ０６に設定し、自身が保存要請した情報を保管しているネットワーク個体の識別子、ＤＩＤ（またはＣＲＩＤ）及び自身がＤＣＲモードに進入する当時の基地局識別子（ＢＳＩＤ）などをレンジング要請メッセージに含めることができる。
【００８８】
また、レンジング要請メッセージの伝送は、所定のリソース保存タイマーが満了する前に行うことが好ましい。端末が保存要請した情報は、リソース保存タイマーが満了するまでネットワーク個体に保管され、リソース保存タイマーが満了するとＤＣＲモードも終了するからである。このような状況を考慮して、端末は、リソース保存タイマーが満了する前に常にネットワーク再進入を試みるようにしてもよく、リソース保存タイマーの満了によりＤＣＲモードが終了するまでいかなる動作も取らない場合、端末はネットワーク初期進入を行ってもよい。
【００８９】
もし、リソース保存タイマーが満了する前にＤＣＲモードを延長するためには、それに対応するレンジング目的コードを設定してレンジング要請メッセージを基地局に伝送すればよく、これにより、リソース保存タイマーを延長てきる。より具体的に、端末は、レンジング目的コード１を設定すると同時に、ＣＲＩＤをレンジング要請メッセージに含めて基地局に伝送する方法でＤＣＲモードを延長することができる。
【００９０】
本実施例では、端末がＤＣＲモードに進入する当時のサービング基地局にネットワーク再進入を試みるとして説明したが、他の基地局においてもネットワーク再進入を試みることができる。
【００９１】
これにより、サービング基地局は、該当のネットワーク個体に保管されている端末の情報を獲得することができる（Ｓ２０７）。
【００９２】
Ｓ２０８段階を含めて以降の段階は、一般的な遊休モードにおけるネットワーク再進入手順と同様なので、明細書の簡明さのために詳細な説明は省略する。
【００９３】
一方、本実施例の他の様相によれば、端末は、遊休モードからＤＣＲモードに進入することもできる。これを、図３を参照して説明する。
【００９４】
図３は、本発明の一実施例に係る、端末が遊休モードからＤＣＲモードに遷移する動作手順の一例を示す図である。
【００９５】
図３を参照すると、端末は、遊休モードで動作し、遊休モード進入時に端末の情報はページングコントローラにより保存される状況を想定する（Ｓ３０１）。
【００９６】
端末は、遊休モード進入時に割り当てられたページング情報（ページング周期、ページングオフセット）によってページングメッセージを受信することができる（Ｓ３０２）。
【００９７】
この時、端末は、遊休モードからＤＣＲモードに進入するために位置更新（Ｌｏｃａｔｉｏｎ  Ｕｐｄａｔｅ）を行うことができ、その手段としてレンジング要請（ＡＡＩ＿ＲＮＧ−ＲＥＱ）メッセージをサービング基地局に伝送することができる（Ｓ３０３）。
【００９８】
ここで、端末は、ＤＣＲモードに進入することを表すために、表３に示すように、レンジング要請メッセージのレンジング目的コードを、遊休モードでのＤＣＲモード進入を表す０ｘ０５に設定することが好ましい。
【００９９】
ＤＣＲモード上の端末を識別する識別子としてＣＲＩＤを用いる場合、端末のＤＣＲ進入要請を基地局が受諾すると、受諾の後に端末はＤＣＲモードで動作をするようになる。
【０１００】
ＤＣＲモード上の端末を識別する識別子としてＤＩＤを用いる場合、端末のＤＣＲ進入要請を基地局が受諾すると、基地局は該当の端末のＤＩＤを更新することができる（Ｓ３０４）。さらにいうと、遊休モードで端末に割り当てられたＤＩＤと同じＤＩＤを割り当てたり異なるＤＩＤを割り当て、ページング情報は含めないか、いずれも‘０’または‘ｎｕｌｌ’に設定すればよい。また、ＤＩＤにページング情報が含まれる形態であれば、ページング情報に該当するビットをいずれも‘０’に設定すればよく、ＤＩＤの更新に、端末の情報を保存するネットワーク個体の識別子が用いられてもよい。遊休モードに進入する時に割り当てられた端末識別子と異なる形態のＤＣＲモード端末識別子が割り当てられる場合は、Ｓ３０４は行わず、新しい形態のＤＣＲモード端末識別子がレンジング応答メッセージに含まれて伝達される。このような新しい形態の識別子はページング情報によらずに割り当てられる。
【０１０１】
基地局は、端末にＤＣＲモード受諾を知らせるために、位置更新応答（Ｌｏｃａｔｉｏｎ  Ｕｐｄａｔｅ  Ｒｅｓｐｏｎｓｅ）の動作コードが０ｘ０４に設定されたレンジング応答（ＡＡＩ＿ＲＮＧ＿ＲＳＰ）メッセージを伝送する（Ｓ３０５）。
【０１０２】
これにより、端末はＤＣＲモードで動作できる（Ｓ３０６，Ｓ３０７）。端末は、ＤＣＲモードで動作することからページングメッセージは受信しない。
【０１０３】
端末がＤＣＲモードで動作することから、端末の保存要請情報を保管するネットワーク個体（例えば、ａｕｔｈｅｎｔｉｃａｔｏｒ  ＡＳＮ＿ＧＷ）は、リソース保存タイマーが有効である間は、該当の情報を維持することとなる。
【０１０４】
ここで、ＤＩＤの更新は、上述した通り、端末と基地局で互いに異なる時点に行われてもよく、ＤＣＲモード開始と同時に行われてもよい。このような端末と基地局のＤＩＤ更新は、ページング手順が要求されないＤＣＲモードへの切替を、端末、基地局及びネットワークに明確に認知させるものであればよい。また、ＤＩＤ更新は、端末と基地局で所定規則に従って暗示的に行われてもよく、レンジング応答メッセージを通じて明示的に基地局が端末に知らせてもよい。
【０１０５】
もし、基地局が端末のＤＣＲモード進入を拒絶する場合は、Ｓ３０５段階で、レンジング応答メッセージの位置更新応答の動作コードを、０ｘ０５に設定して端末に伝送すればよい。
【０１０６】
一方、本実施例のさらに他の様相によれば、端末がＤＣＲモードから遊休モードに進入する方法が提供される。これを、図４を参照して説明する。
【０１０７】
図４は、本発明の一実施例に係る、端末がＤＣＲモードから遊休モードに遷移する動作手順の一例を示す図である。
【０１０８】
図４を参照すると、端末はＤＣＲモードで動作し、端末の情報はページングコントローラあるいはＡｕｔｈｅｎｔｉｃａｔｏｒ  ＡＳＮ−ＧＷのような所定のネットワーク個体により保存される状況を想定する（Ｓ４０１）。
【０１０９】
端末は、ＤＣＲモードで動作することからページングメッセージを受信しない（Ｓ４０２）。
この時、端末は、ＤＣＲモードから遊休モードに進入するために位置更新を行うことができ、その手段としてレンジング要請（ＡＡＩ＿ＲＮＧ−ＲＥＱ）メッセージをサービング基地局に伝送することができる（Ｓ４０３）。
【０１１０】
この時、遊休モードへの進入要請を表すために、レンジング要請メッセージのレンジング目的コードは新しく定義されることが好ましい。
【０１１１】
端末の遊休モード進入要請を基地局が受諾する場合、ＤＣＲモード上で端末を識別するための識別子としてＣＲＩＤを用いる場合は、遊休モード上で端末を識別するためのＤＩＤとページング情報に該当する情報（例えば、ページング周期、ページングオフセット及びＰＣＩＤなど）などを割り当てるために、これらをレンジング応答メッセージに含めて伝送することができる。ＤＣＲモード上で端末を識別する識別子としてＤＩＤを用いる場合、既存ＤＩＤを遊休モード上でそのまま使用する場合は、ページング情報に該当する情報（例えば、ページング周期、ページングオフセット及びＰＣＩＤなど）のみを含むレンジング応答メッセージを伝送し、ＤＣＲモード上で用いるＤＩＤと異なるＤＩＤを用いる場合は、新しく割り当てられるＤＩＤとページング情報に該当する情報（例えば、ページング周期、ページングオフセット及びＰＣＩＤなど）などを含むレンジング応答メッセージを伝送すればよい。
【０１１２】
基地局は端末に位置更新応答としてレンジング応答メッセージを伝送できる（Ｓ４０５）。
【０１１３】
伝送されるレンジング応答メッセージには、位置更新応答として、位置更新応答コードがＤＣＲモードから遊休モード進入を受諾することを表す値に設定されることが好ましい。現在、これを表す値は定義されておらず、よって、本発明では、下記の表４のようにレンジング応答メッセージの設定を修正することを提案する。
【０１１４】
【表４】
0005503736.tif 000005
表４に示すとおり、基地局は、端末の遊休モード進入を受諾するために、位置更新応答コードを０ｘ０６に設定することが好ましい。
【０１１５】
これにより、端末は、ＤＩＤを更新し、遊休モードで動作できる（Ｓ４０６、Ｓ４０７）。端末は、遊休モードで動作することから、ページング情報に基づいて自身に向かうページングメッセージを受信することができる。
【０１１６】
（第２の実施例）
本発明の他の実施例では、端末がＤＣＲモードを終了し、效率的にネットワーク再進入を行う方法が提供される。
【０１１７】
そのために、本実施例では３通りのネットワーク再進入方法を提案する。
【０１１８】
方法１：ＤＣＲモードに遷移する時にまたはネットワーク進入時に登録応答メッセージを通じて割り当てられたＣＲＩＤ及びレンジグ目的指示（Ｒａｎｇｉｎｇ  ｐｕｒｐｏｓｅ  ｉｎｄｉｃａｔｉｏｎ）を用いてネットワーク再進入（ｎｅｔｗｏｒｋ  ｒｅ−ｅｎｔｒｙ）できる。
【０１１９】
方法２：正規初期進入（Ｎｏｒｍａｌ  ｉｎｉｔｉａｌ  ｅｎｔｒｙ）手順を行うことができる。
【０１２０】
方法３：フェムト基地局が統合レンジングチャネル（ｕｎｉｆｉｅｄ  ｒａｎｇｉｎｇ  ｃｈａｎｎｅｌ）構造を有する場合（すなわち、マクロ帯域幅チャネル（Ｍａｃｒｏ  Ｂａｎｄｗｉｄｔｈ  ｃｈａｎｎｅｌ）構造のように、レンジングプリアンブル（ｒａｎｇｉｎｇ  ｐｒｅａｍｂｌｅ）とクイックアクセスメッセージ（Ｑｕｉｃｋ  ａｃｃｅｓｓ  Ｍｅｓｓａｇｅ）を共に伝送できる時）、帯域幅クイックアクセス（Ｂａｎｄｗｉｄｔｈ  ｑｕｉｃｋ  ａｃｃｅｓｓ）メッセージの１ビット指示子を用いてネットワーク再進入を指示することができる。この場合、１ビット指示子はレンジング目的指示子（Ｒａｎｇｉｎｇ  ｐｕｒｐｏｓｅ  ｉｎｄｉｃａｔｏｒ）で表示すればよく、レンジングプリアンブル（Ｒａｎｇｉｎｇ  ｐｒｅａｍｂｌｅ）には、レンジング要請メッセージを伝送する帯域要請サイズ情報（ＢＲ  ｓｉｚｅ、２ビット）を表示することができる。
【０１２１】
まず、方法１を、図５を参照して説明する。
【０１２２】
図５は、本発明の他の実施例に係る、ＤＣＲモードで動作する端末がネットワーク再進入を行う動作手順の一例を示す図である。
【０１２３】
図５を参照すると、端末は、基地局と接続状態（ｃｏｎｎｅｃｔｅｄ  ｓｔａｔｅ）でＤＣＲモードに進入することを決定することができる（Ｓ５０１）。
【０１２４】
そのため、端末は、登録解除要請メッセージの解除要請コード（Ｄｅｒｅｇｉｓｔｒａｔｉｏｎ＿Ｒｅｑｕｅｓｔ＿Ｃｏｄｅ）を０ｘ０４に設定して基地局に伝送することができる（Ｓ５０２）。
【０１２５】
基地局は、登録解除要請メッセージに対する応答として、リソース保存タイマー情報を含む登録解除応答メッセージを端末に伝送できる（Ｓ５０３）。
【０１２６】
この時、ＤＣＲモードで端末を識別するための識別子（すなわち、ＣＲＩＤ）は、登録応答（ＡＡＩ＿ＲＥＧ−ＲＳＰ）メッセージを通じて端末に割り当てられたものであってもよく、登録解除応答（ＡＡＩ＿ＤＲＥＧ−ＲＳＰ）メッセージまたはレンジング応答（ＡＡＩ＿ＲＮＧ−ＲＳＰ）メッセージを通じて新しく割り当てられたものであってもよい。
【０１２７】
基地局を含むネットワークでは、端末の情報を保存し、端末に割り当てられたＣＲＩＤと端末の媒体接続制御アドレス（ＭＡＣ  Ａｄｄｒｅｓｓ）のマッピング関係情報を示すリストを管理する（Ｓ５０４）。
【０１２８】
その後、端末は、ＤＣＲモードを終了し、ネットワーク再進入を試みるために、レンジングシーケンス（ＣＤＭＡレンジングコード）を基地局に伝送でき、基地局は、それに対する応答としてレンジング応答メッセージ（またはレンジング肯定応答メッセージ：ＡＡＩ＿ＲＮＧ−ＡＣＫ）を通じてレンジング成功有無及び物理パラメータ補正値などを端末に伝送する（Ｓ５０５、Ｓ５０６）。
【０１２９】
これにより、端末は、レンジング要請メッセージにＣＲＩＤ及び認証のためのサイファ（Ｃｙｐｈｅｒ）ベースのメッセージ認証コード（ＣＭＡＣ  Ｔｕｐｌｅ）を含めて基地局に伝送する（Ｓ５０７）。
【０１３０】
この時、端末は、レンジング要請メッセージにレンジング目的コードを０ｘ０６に設定できる。
【０１３１】
基地局は、レンジング要請メッセージに対する応答として、端末が基地局で用いるステーション識別子（ＳＴＩＤ）または臨時ステーション識別子（Ｔ−ＳＴＩＤ）をレンジング応答メッセージに含めて伝送する（Ｓ５０８）。この時、基地局は、端末の伝送したＣＭＡＣ  Ｔｕｐｌｅが有効な場合、レンジング要請メッセージを暗号化してＳＴＩＤを安全に端末へ伝達することができる。これと違い、Ｔ−ＳＴＩＤが含まれる場合では、非要求レンジング応答（Ｕｎｓｏｌｉｃｉｔｅｄ  ＡＡＩ＿ＲＮＧ−ＲＳＰ）メッセージを通じてＳＴＩＤを端末にさらに割り当てることができる（図示せず）。
【０１３２】
その後、端末は、ネットワーク再進入手順を終え、基地局との接続状態で正常データ交換を行うことができる（Ｓ５０９）。
【０１３３】
次に、方法２を、図６を参照して説明する。
【０１３４】
図６は、本発明の他の実施例に係る、ＤＣＲモードで動作する端末がネットワーク再進入を行う動作手順の他の例を示す図である。
【０１３５】
図６は、図５に示すネットワーク再進入手順と各段階が類似しているので、明細書の簡明さのために、重複する部分についての説明は省略し、異なる部分についてのみ説明する。
【０１３６】
Ｓ６０３段階で、基地局は端末にＣＲＩＤを割り当てない。そのため、基地局を含むネットワークは、Ｓ６０４段階で、ＣＲＩＤ及びＭＡＣＡアドレスをマッピングした情報ではなく、端末のＭＡＣアドレスのみにより、保存される端末の情報を識別する。
【０１３７】
Ｓ６０７段階で、端末は、ＣＲＩＤではなく自身のＭＡＣアドレスをレンジング要請メッセージに含めて基地局に伝送し、基地局は、端末のＭＡＣアドレスを用いて、端末の情報を保存するネットワーク個体から該当の情報を受信することができる。
【０１３８】
次に、方法３を説明する。
【０１３９】
方法３は、上述したように、基地局のレンジングチャネル構造がマクロ帯域幅チャネル構造のようにレンジングプリアンブルとクイックアクセスメッセージを共に伝送できる統合レンジングチャネル構造の場合に適用できる。このような統合レンジングチャネル構造の一例が、図７に示されている。
【０１４０】
このような統合レンジングチャネルが適用される場合、帯域幅クイックアクセスメッセージ（Ｂａｎｄｗｉｄｔｈ  ｑｕｉｃｋ  ａｃｃｅｓｓ  ｍｅｓｓａｇｅ）には１ビット指示子を用いて、ＤＣＲモードでネットワーク再進入を試みる端末であることを示すことができる。また、レンジングプリアンブルを通じてレンジング要請メッセージを伝送する帯域幅のサイズ（ＢＲ  ｓｉｚｅ）を２ビットで表すことができる。以下、図８を参照して、統合レンジングチャネルが支援される場合、端末のネットワーク再進入手順を説明する。
【０１４１】
図８は、本発明の他の実施例に係る、ＤＣＲモードで動作する端末がネットワーク再進入を行う動作手順のさらに他の例を示す図である。
【０１４２】
図８のＳ８０１乃至Ｓ８０４段階は、図６のＳ６０１乃至Ｓ６０４段階とそれぞれ類似しているので、重複する説明は省略する。
【０１４３】
端末は、基地局の統合レンジングチャネルを用いて、ＤＣＲモードからネットワーク再進入を行うために、レンジングプリアンブル（コード）とクイックアクセスメッセージを共に基地局に伝送することができる（Ｓ８０５）。
【０１４４】
この時、端末は、メッセージのレンジング目的指示（Ｒａｎｇｉｎｇ  ｐｕｒｐｏｓｅ  ｉｎｄｉｃａｔｉｏｎ）を通じてＤＣＲモードからネットワーク再進入を行う端末を示すことができる。また、端末は、伝送するレンジング要請（ＡＡＩ＿ＲＮＧ−ＲＥＱメッセージのための帯域幅（Ｂａｎｄｗｉｄｔｈ  Ｓｉｚｅ、ＭＡＣ  ａｄｄｒｅｓｓ及びＣＭＡＣを含むサイズ）をプリアンブル伝送時に共に伝送することができる。
【０１４５】
以降の段階は、図６で説明した通りであり、説明を省略する。
【０１４６】
（第３の実施例）
本発明のさらに他の実施例では、ＤＣＲモードで端末を識別するための識別子、すなわち、ＣＲＩＤを、遊休モードで端末を識別するためのＤＩＤと区別付くように割り当てることを提案する。そのために、ＣＲＩＤの形態を下記のように提案する。
【０１４７】
タイプ１：ＤＩＤに、ＤＣＲモードを識別するためのビットが追加される形態
一般に、遊休モードで端末を識別するためのＤＩＤ  １０ビットの最上位ビット（ＭＳＢ）または最下位ビット（ＬＳＢ）に、１または２ビットを追加してＣＲＩＤを構成することができる。
【０１４８】
もし、１ビットが追加される場合、ＤＣＲモードで用いられるか否かのみを示すことができ、２ビットが追加される場合は、ＤＣＲモードの目的（例えば、電力節約（ｈｉｂｅｒｎａｔｉｏｎ）のためＤＣＲモードなのか、他の無線システム（ｉｎｔｅｒ−ＲＡＴ）に接続するためのＤＣＲモードなのか）まで示すことができる。
【０１４９】
タイプ２：所定の識別子ビットにページング周期（ｐａｇｉｎｇ  ｃｙｃｌｅ）及びページングオフセット（ｐａｇｉｎｇ  ｏｆｆｓｅｔ）が含まれる形態
ＣＲＩＤは、ＤＩＤによらず、所定長さの識別子ビットが、ページング周期を表すビット（例えば、４ビット）及びページングオフセットを表すビット（例えば、４ビット）に結合した形態とすることができる。
【０１５０】
この場合、ページング周期及びページングオフセットの少なくとも一方が特定値に設定される場合は、ＤＣＲモードに適用されることを示すことができ、特定値以外の値に設定される場合は、実際にページング周期またはページングオフセット値を示すことができる。また、ページング周期及びページングオフセットビットは一体としてＤＣＲモードの適用されるか否かを示してもよい。
【０１５１】
タイプ３：遊休モードに用いられるＤＩＤのページング周期ビットを特定値に設定する形態
遊休モードに用いられるＤＩＤのＭＳＢの４ビットは、ページング周期を指示する。このようなページング周期を指示するビットが特定値（例えば、０ｘ００００）に設定された場合、これは、ＤＣＲモード端末を識別するためのＣＲＩＤとして用いることができる。すなわち、ＭＳＢが特定値に設定されたＤＩＤは、ＣＲＩＤとしてＤＣＲモードの端末にのみ割り当てられればよい。
【０１５２】
タイプ４：ＤＩＤに、端末のコンテクスト情報を保存するネットワーク個体の識別子ビットを追加した形態
ＣＲＩＤは、ＤＩＤ  １０ビットのＭＳＢまたはＬＳＢに、ＤＣＲモード端末のコンテクスト情報を保存するネットワーク個体の識別子（例えば、Ａｕｔｈｅｎｔｉｃａｔｏｒ  ＡＳＮ−ＧＷＩＤ）の少なくとも一部ビットが追加された形態とすることができる。
【０１５３】
本実施例で詳述したＣＲＩＤの形態は、上記の第１の実施例及び第２の実施例に適用できる。
【０１５４】
（端末及び基地局の構造）
以下、本発明のさらに他の実施例として、上述した本発明の実施例を実行できる端末及び基地局（ＦＢＳ、ＭＢＳ）を説明する。
【０１５５】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの伝送のために送信機及び受信機を含むことができる。
【０１５６】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。このような送信端と受信端の一例を、図９を参照して説明する。
【０１５７】
図９は、本発明の他の実施例であって、送信端及び受信端構造の一例を示すブロック図である。
【０１５８】
図９を参照すると、左側は送信端の構造を示し、右側は受信端の構造を示す。受信端と送信端はそれぞれ、アンテナ５，１０、プロセッサ２０，３０、伝送モジュール（Ｔｘ  ｍｏｄｕｌｅ）４０，５０、受信モジュール（Ｒｘ  ｍｏｄｕｌｅ）６０，７０、及びメモリ８０，９０を含むことができる。各構成要素は、互いに対応する機能を実行することができる。以下、各構成要素についてより詳細に説明する。
【０１５９】
アンテナ５，１０は、伝送モジュール４０，５０で生成された信号を外部に伝送したり、外部から無線信号を受信して受信モジュール６０，７０に伝達する機能を果たす。多重アンテナ（ＭＩＭＯ）機能が支援される場合は、２個以上を備えればよい。
【０１６０】
アンテナ、伝送モジュール及び受信モジュールは共に、無線通信（ＲＦ）モジュールを構成できる。
【０１６１】
プロセッサ２０，３０は、通常、移動端末機の全般を制御する。例えば、上述した本発明の実施例を行うためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。
【０１６２】
特に、移動端末機のプロセッサは、ＤＣＲモードに進入するか否かを判断でき、ＤＣＲモードへの進入を決定する場合、無線通信モジュールを制御して登録解除要請メッセージが基地局に伝送されるようにすることができる。この時、プロセッサは、ネットワーク個体により保存される情報を判断して、該当のメッセージの関連パラメータを設定でき、該当のメッセージの要請コードを０ｘ０４に設定できる。端末のプロセッサは、無線通信モジュールを制御して、基地局から登録解除応答メッセージを受信できるようにし、受信したメッセージの動作コード値を確認して、ＤＣＲモード進入要請が受諾されたか否か判断できる。
【０１６３】
もし、遊休モードで動作していると、端末のプロセッサは、ＤＣＲモードに進入するために、レンジング目的コードを０ｘ０５に設定したレンジング要請メッセージが基地局に伝送されるように制御できる。
【０１６４】
その後、端末のプロセッサは、移動端末機の全般機能を、ＤＣＲモードに合わせて動作するように制御できる。また、プロセッサは、ネットワーク再進入をするか否か判断でき、ネットワーク再進入を決定した場合、位置更新手順が行われるように制御できる。そのために、プロセッサは、レンジング要請メッセージが基地局に伝送されるように無線通信モジュールを制御する。この時、プロセッサは、レンジング要請メッセージに、レンジング目的コードを０ｘ０６に設定し、ＣＲＩＤを含ませることができる。
【０１６５】
ここで、上記のＣＲＩＤは、端末のネットワーク初期進入時に登録応答（ＡＡＩ＿ＲＥＧ−ＲＥＱ）メッセージを通じて割り当てられてもよく、登録解除応答メッセージ（ＡＡＩ＿ＤＲＥＧ−ＲＳＰ）またはレンジング応答（ＡＡＩ＿ＲＮＧ−ＲＳＰ）メッセージを通じて更新されたものであってもよい。
【０１６６】
その他にも、端末のプロセッサは、上記の各実施例に開示された動作手順の全般的な制御動作を行うことができる。
【０１６７】
伝送モジュール４０，５０は、プロセッサ２０，３０からスケジュールリングされて外部に伝送されるデータに、所定の符号化（ｃｏｄｉｎｇ）及び変調（ｍｏｄｕｌａｔｉｏｎ）を行った後、アンテナ５，１０に伝達することができる。
【０１６８】
受信モジュール６０，７０は、外部からアンテナ５，１０を介して受信された無線信号に複号（ｄｅｃｏｄｉｎｇ）及び復調（ｄｅｍｏｄｕｌａｔｉｏｎ）を行って原本データの形態に復元し、プロセッサ２０，３０に伝達することができる。
【０１６９】
メモリ８０，９０は、プロセッサ２０，３０の処理及び制御のためのプログラムが格納されてもよく、入／出力されるデータ（ＣＲＩＤなど）の臨時記憶のための機能を実行してもよい。また、メモリ８０，９０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち、少なくとも一タイプの保存媒体を含むことができる。
【０１７０】
一方、基地局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能及び実時間モデム制御機能などを、上記のモジュールの少なくとも一つを介して実行してもよく、これらの機能を実行するための別途の手段、モジュールまたは部分などをさらに含んでもよい。
【０１７１】
本発明は、本発明の精神及び必須特徴を逸脱しない範囲で様々な特定の形態に具体化することができる。したがって、上記の詳細な説明はいずれの面においても制限的に解釈されてはならず、例示的なものとして考慮しなければならない。本発明の範囲は、添付の請求項の合理的解釈によって決定されなければならず、よって、本発明の等価的範囲内における変更はいずれも本発明の範囲に含まれる。また、特許請求の範囲で明示的な引用関係を有しない請求項を結合して実施例を構成したり出願後の補正により新しい請求項として含めることができる。
【産業上の利用可能性】
【０１７２】
本発明の実施例は、様々な無線接続システムに適用することができる。様々な無線接続システムには、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他に、これら様々な無線接続システムを応用した技術分野のいずれにも適用することができる。
【図１】
0005503736.tif 000006
【図２】
0005503736.tif 000007
【図３】
0005503736.tif 000008
【図４】
0005503736.tif 000009
【図５】
0005503736.tif 000010
【図６】
0005503736.tif 000011
【図７】
0005503736.tif 000012
【図８】
0005503736.tif 000013
【図９】
0005503736.tif 000014